(57)【要約】【課題】家具本体を床面に対して昇降させるためのジャッキ機構を利用した、部品点数が少なく、シンプルな構造の家具などの支持装置を提案する。【解決手段】支持用着床体（台輪可動枠２８）に対し昇降自在に支持される被支持本体（家具）の底部に取り付けられる上側取付部材１、この上側取付部材１に両端部が自転のみ可能に支承された水平螺軸２、この水平螺軸２に螺嵌する雌ネジ体３、及びこの雌ネジ体３の水平往復移動を前記支持用着床体（台輪可動枠２８）に対する被支持本体（家具）の垂直昇降運動に変換するリンク機構５とを備え、前記水平螺軸２の回転操作手段（角軸３１，３２）が設けられた構成。【選択図】図１
2006239258.tif 000002
【特許請求の範囲】
【請求項１】
支持用着床体に対し昇降自在に支持される被支持本体の底部に取り付けられる上側取付部材、この上側取付部材に両端部が自転のみ可能に支承された水平螺軸、この水平螺軸に形成された螺軸部に螺嵌する雌ネジ体、及びこの雌ネジ体の水平往復移動を前記支持用着床体に対する被支持本体の垂直昇降運動に変換するリンク機構とを備え、前記水平螺軸の回転操作手段が設けられた、家具などの支持装置。
【請求項２】
前記リンク機構は、支持用着床体に取り付けられる下側取付部材と前記雌ネジ体とに両端が水平支軸で軸支された第一リンクと、この第一リンクの中点と前記上側取付部材とに両端が水平支軸で軸支され且つ第一リンクに対し対称形に傾斜する第二リンクとから成る、請求項１に記載の家具などの支持装置。
【請求項３】
前記第一リンクは第二リンク側が開放された溝形材から構成され、第一リンクの両側板部の上端は、雌ネジ体の下部を左右から挟む状態で水平支軸により軸支され、第二リンクの上端は、前記水平螺軸の第二リンク側の端部を支承する軸受け板部から折曲連設された両側取付板部間に遊嵌する状態で水平支軸により軸支され、この第二リンクの下端は、前記第一リンクの両側板部間に遊嵌する状態で水平支軸により軸支されている、請求項２に記載の家具などの支持装置。
【請求項４】
前記下側取付部材は、第一リンクの下端が嵌合して水平支軸で軸支される上側開放の溝形部を備え、この下側取付部材が、前記溝形部の底面が前記支持用着床体となる家具底部の台輪可動枠の底面と面一になるように当該台輪可動枠の内側に取り付けられている、請求項２または３に記載の家具などの支持装置。
【請求項５】
前記水平螺軸にはその両端間を貫通する角孔が設けられ、前記回転操作手段には、前記水平螺軸の角孔に挿通された角軸が設けられている、請求項１〜４の何れか１項に記載の家具などの支持装置
【発明の詳細な説明】
【技術分野】
【０００１】
本発明は、家具本体を床面に対して昇降させるためのジャッキ機構を利用した家具などの支持装置に関するものである。
【背景技術】
【０００２】
家具本体の底部に移動用車輪を備えた家具を、移動後に定位置に固定するため、前記家具本体の底部に昇降自在に設けられた台輪を家具本体に対して降下させて着床させると共に前記移動用車輪を家具本体と共に上昇させる家具などの支持装置が、例えば特許文献１などによって知られている。
【特許文献１】特開２００３−７９４６０号公報
【発明の開示】
【発明が解決しようとする課題】
【０００３】
この種の支持装置は、家具本体の底部に取り付けられたジャッキ機構により、家具本体に対し昇降自在な台輪を昇降駆動させるように構成したものであるが、特許文献１などに開示された従来のこの種の支持装置におけるジャッキ機構は、歯車機構とリンク機構とを組み合わせて構成された、構造複雑で部品点数が多く、家具の大幅なコストアップを余儀なくされるものであった。
【課題を解決するための手段】
【０００４】
本発明は上記のような従来の問題点を解消し得る家具などの支持装置を提供することを目的とするものであって、その手段を後述する実施形態の参照符号を付して示すと、支持用着床体（台輪可動枠２８）に対し昇降自在に支持される被支持本体（家具２５）の底部に取り付けられる上側取付部材１、この上側取付部材１に両端部が自転のみ可能に支承された水平螺軸２、この水平螺軸２に螺嵌する雌ネジ体３、及びこの雌ネジ体３の水平往復移動を前記支持用着床体（台輪可動枠２８）に対する被支持本体（家具２５）の垂直昇降運動に変換するリンク機構５とを備え、前記水平螺軸２の回転操作手段３３が設けられた構成となっている。
【０００５】
上記構成の本発明を実施するについて、具体的には請求項２に記載のように、前記リンク機構５は、支持用着床体（台輪可動枠２８）に取り付けられる下側取付部材４と前記雌ネジ体３とに両端が水平支軸２１，２２で軸支された第一リンク１９と、この第一リンク１９の中点と前記上側取付部材１とに両端が水平支軸２３，２４で軸支され且つ第一リンク１９に対し対称形に傾斜する第二リンク２０とから構成することができる。
【０００６】
この場合、請求項３に記載のように、前記第一リンク１９は第二リンク１９側が開放された溝形材から構成し、第一リンク１９の両側板部１９ａの上端は、雌ネジ体３の下部を左右から挟む状態で水平支軸２１により軸支し、第二リンク２０の上端は、前記水平螺軸２の第二リンク２０側の端部を支承する軸受け板部９ａから折曲連設された両側取付板部９ｂ，９ｃ間に遊嵌させた状態で水平支軸２３により軸支し、この第二リンク２０の下端は、前記第一リンク１９の両側板部１９ａ間に遊嵌させた状態で水平支軸２４により軸支することができる。
【０００７】
また、請求項４に記載のように、前記下側取付部材４には、第一リンク１９の下端が嵌合して水平支軸２２で軸支される上側開放の溝形部１６を設け、この溝形部１６の底面１６ａが前記支持用着床体となる家具底部の台輪可動枠２８の底面と面一になるように当該台輪可動枠２８の内側に前記下側取付部材４を取り付けることができる。更に、請求項５に記載のように、前記水平螺軸２にはその両端間を貫通する角孔１２を設け、前記回転操作手段３３には、前記水平螺軸２の角孔１２に挿通された角軸３１，３２を設けることができる。
【発明の効果】
【０００８】
上記構成の本発明に係る家具などの支持装置は、１本の水平螺軸とこれに螺嵌する雌ネジ体、及びリンク機構によって構成されるもので、部品点数が少なく、小型で安価に構成することができる。従って本発明に係る支持装置は、家具本体と当該家具本体の底部に昇降自在に配置された台輪との間の上下高さが十分にとれない狭い空間内に設置して、台輪に対する家具本体の昇降を可能にする支持装置として効果的に利用することができ、家具全体の大幅なコストアップも免れる。
【０００９】
尚、請求項２に記載のリンク機構を採用すれば、このリンク機構を含めた装置全体の部品点数が非常に少なくて済み、しかも、被支持本体を支持用着床体に対して降下させたとき、第一リンク及び第二リンクが倒伏して傾斜角度が大きくなり、水平姿勢に近づくので、支持用着床体に対する被支持本体の最大降下レベルを非常に低くすることができる。この場合、倒伏したリンクで被支持本体を支持することになるところであるが、実際の使用状態では、被支持本体がある程度降下したときに被支持本体（家具本体）の底部に配設された移動用車輪が着床して被支持本体を支持するので、倒伏したリンクに無理な曲げ力が作用する恐れはない。勿論、前記移動用車輪を床面から浮上させるために支持用着床体に対して被支持本体を上昇させたときは、前記リンクで被支持本体を支持することになるが、このときはリンクは起立姿勢となっており、リンクの座屈強度さえ高めておけば問題なく被支持本体を安全に支持させることができる。
【００１０】
また、請求項３に記載の構成によれば、装置全体の横幅も十分に狭めることができると共に、水平螺軸の真下にリンクを配置することができ、装置の耐荷重性能を高めることができる。また、請求項４に記載の構成によれば、台輪の底部に支持装置を設置するための板材を配置する必要がなくなり、被支持本体（家具本体）の底部下側の空間の上下高さを一層低くすることができる。更に、請求項５に記載の構成によれば、水平螺軸と回転操作軸とを軸継ぎ手などで接続する必要がなくなり、一層安価に実施することができる。
【発明を実施するための最良の形態】
【００１１】
以下に本発明の具体的実施例を添付図に基づいて説明すると、図１〜図３において、１は上側取付部材、２は水平螺軸、３は雌ネジ体、４は下側取付部材、５はリンク機構である。上側取付部材１は、左右一対のアングル材利用の側枠材６ａ，６ｂと、両側枠材６ａ，６ｂの両端部間に固着された一対の軸受け部材７ａ，７ｂとから構成されている。軸受け部材７ａ，７ｂは何れも平面コ字形のもので、軸受け板部８ａ，９ａと、これら軸受け板部８ａ，９ａから互いに遠ざかる向きで両側枠材６ａ，６ｂに沿って折曲連設された両側取付板部８ｂ，８ｃ及び９ｂ，９ｃから構成され、両側取付板部８ｂ，８ｃ及び９ｂ，９ｃにおいて両側枠材６ａ，６ｂに固着されている。
【００１２】
水平螺軸２は、軸受け部材７ａ，７ｂの軸受け板部８ａ，９ａに貫通支持される両端小径軸部１０ａ，１０ｂと、その中間の螺軸部１１とから成るもので、両端間にわたって角孔（六角孔）１２が同心状に貫通せしめられている。また、一方の軸受け部材７ａの軸受け板部８ａと螺軸部１１との間の小径軸部１０ａには、スラストベアリング１３が介装されている。勿論、小径軸部１０ａ，１０ｂと各軸受け部材７ａ，７ｂとの間には、必要に応じてラジアルベアリングを介装することもできる。
【００１３】
雌ネジ体３は、水平螺軸２の螺軸部１１に螺嵌する雌ネジ孔１４を有すると共に、螺軸部１１の周りの自転が両側枠材６ａ，６ｂによって防止される断面矩形のものであり、下側に突出する小幅部１５を備えている。下側取付部材４は、板材を曲げ加工して構成されたもので、上側開放の溝形部１６と、この溝形部１６の一側板部から上方に延出する垂直板部１７と、この垂直板部１７から溝形部１６のある側とは反対側へ水平に折曲連設された水平板部１８とから構成されている。
【００１４】
リンク機構５は、第一リンク１９と第二リンク２０とから構成されている。第一リンク１９は、第二リンク２０のある側が開放された溝形材から構成されたもので、その両側板部１９ａの上端は、雌ネジ体３の下向き突出小幅部１５を左右両側から挟む状態で当該雌ネジ体３に水平支軸２１によって軸支されると共に、両側板部１９ａの下端は、下側取付部材４の溝形部１６内に遊嵌する状態で当該下側取付部材４に水平支軸２２によって軸支されている。また、第二リンク２０は、第一リンク１０のある側が開放された溝形材から構成されたもので、その有効長さは第一リンク１９の有効長さの半分であって、その両側板部２０ａの上端は、軸受け部材７ｂにおける両側取付板部９ｂ，９ｃ間の下半領域に遊嵌する状態で当該軸受け部材７ｂに水平支軸２３により軸支されると共に、両側板部２０ａの下端は、第一リンク１９の両側板部１９ａ間に遊嵌する状態で当該第一リンク１９の長さ方向の中点に水平支軸２４により軸支されている。従って、第一リンク１９と第二リンク２０とは、互いに対称形に傾斜することになる。
【００１５】
上記構成の支持装置において、図１に示すように雌ネジ体３が軸受け部材７ｂ側（第二リンク２０のある側）の行程端にあるとき、第一リンク１９の起立角度が最大になり、上側取付部材１に対して下側取付部材４が最大量降下した状態、即ち、下側取付部材４がレベルＬまで下がった状態にある。係る状態から水平螺軸２を回転させて雌ネジ体３を軸受け部材７ａのある側に移動させると、第一リンク１９は、第二リンク２０によって姿勢を規制されながら徐々に倒伏し、上側取付部材１に対して下側取付部材４を吊り上げることになる。このとき、第一リンク１９と下側取付部材４とを軸支する水平支軸２２は垂直に上昇移動することになり、下側取付部材４は、水平螺軸２の軸方向に関しては移動しない。而して、雌ネジ体３が軸受け部材７ａ側の行程端に達したとき、第一リンク１９の起立角度が最小になり、上側取付部材１に対して下側取付部材４が最大量上昇した状態、即ち、下側取付部材４がレベルＨまで上がった状態となる。レベルＨにある下側取付部材４をレベルＬまで降下させるときは、水平螺軸２を逆回転させれば良い。
【００１６】
次に、以上のように構成された支持装置の使用例を説明する。図４〜図６において、２５は間仕切りに利用できる家具であって、その本体底板２６には、当該本体底板２６の周囲に沿って取り付けられた固定枠２７と、この固定枠２７の内側に昇降自在に嵌合する可動枠２８とから成る台輪２９が設けられている。而して、本体底板２６の台輪固定枠２７の内側の少なくとも四隅、図示例では本体底板２６の長辺方向と平行な両側辺の両端と中央位置のそれぞれ３箇所、合計６箇所に、以上のように構成された支持装置３０Ａ〜３０Ｆが取り付けられる。具体的には、本体底板２６の長辺方向と平行な両側辺に並ぶ各３つの支持装置３０Ａ〜３０Ｃ及び支持装置３０Ｄ〜３０Ｆは、その水平螺軸２が同心状に直列するように、上側取付部材１の側枠材６ａ，６ｂが本体底板２６の底面に木ネジなどにより取り付けられる（図２参照）。そして各支持装置３０Ａ〜３０Ｆの下側取付部材４における垂直板部１７と水平板部１８とが、各支持装置３０Ａ〜３０Ｆの外側に隣接する台輪可動枠２８の内側面と上端面とに当て付けられた状態で木ネジなどにより固着される。このとき図２に示すように、下側取付部材４の溝形部１６の底面１６ａが台輪可動枠２８の底面と面一になる。
【００１７】
また、本体底板２６の長辺方向と平行な両側辺に並ぶ各３つの支持装置３０Ａ〜３０Ｃ及び支持装置３０Ｄ〜３０Ｆは、各水平螺軸２の角孔１２を貫通するそれぞれ１本の角軸（六角軸）３１，３２によって各水平螺軸２が連動回転するように連結されると共に、両角軸３１，３２を連動駆動させる回転操作手段３３が設けられている。この回転操作手段３３は、本体底板２６の底面に短辺方向に沿って付設されたフレーム３４に内装されたもので、図４に示すように、中継軸３５と、この中継軸３５の両端を両角軸３１，３２に連動連結させる２つのギヤボックス３６，３７と、一方のギヤボックス３６に支承された垂直な操作軸３８と、この操作軸３８に対して本体底板２６の上側（家具２５の内部）から嵌脱自在な回転操作レバー３９とを備えている。各ギヤボックス３６，３７内には、図７に示すように、角軸３１，３２が貫通する角孔を備えた傘歯車４０と、この傘歯車４０に咬合し且つ中継軸３５の両端に固着された傘歯車４１とが設けられると共に、一方のギヤボックス３６内には、傘歯車４０に咬合し且つ操作軸３８の下端に固着された傘歯車４２が設けられている。
【００１８】
更に、本体底板２６の底面には、本体長辺方向の両端の各２つの支持装置３０Ａ，３０Ｄ及び支持装置３０Ｃ，３０Ｆに隣接させて本体短辺方向に沿って車輪取付用フレーム４３，４４が付設され、これら両フレーム４３，４４の下側にそれぞれ２つの移動用自在車輪４５が取り付けられている。尚、車輪取付用フレーム４３，４４は上側開放の溝形材から成るもので、一方のフレーム４３に重なる本体底板２６には、着脱自在な蓋板でカバーされる開口が設けられ、この開口を通じて回転操作レバー３９を家具２５の内部からフレーム４３内に収納できるように構成されている。
【００１９】
上記構成によれば、回転操作レバー３９を回転操作手段３３の操作軸３８にセットし、操作軸３８を回転操作することにより、両側の角軸３１，３２を連動させて回転駆動させることができる。この両角軸３１，３２の回転により各支持装置３０Ａ〜３０Ｆの水平螺軸２が同一方向に回転駆動され、先に説明したように上側取付部材１に対して下側取付部材４を同期させて上昇移動または下降移動させることができる。この結果、家具２５の底部の台輪可動枠２８が台輪固定枠２７に対して平行姿勢を保って昇降移動することになるが、図１及び図２に示すレベルＬまで下側取付部材４が上側取付部材１に対して降下したとき、図５の左半分及び図６に示すように、台輪可動枠２８の底面は各移動用自在車輪４５の共通着床レベルより相対的に低くなり、当該台輪可動枠２８の底面が着床することになる。また、図１及び図２に示すレベルＨまで下側取付部材４が上側取付部材１に対して上昇したときは、図５の右半分に示すように、台輪可動枠２８の底面は各移動用自在車輪４５の共通着床レベルより相対的に高くなり、移動用自在車輪４５が着床することになる。このように各支持装置３０Ａ〜３０Ｆにより、移動用自在車輪４５の共通着床レベルに対して台輪可動枠２８を相対的に上位置と下位置とに切り換えることができるように構成されているのである。
【００２０】
従って、家具２５を移動させるときは、各支持装置３０Ａ〜３０Ｆにより台輪可動枠２８を台輪固定枠２７に対して相対的に上昇させることにより、実際は、着床している台輪可動枠２８に対して家具２５を降下させ、移動用自在車輪４５が着床した後は、更に台輪固定枠２７に対して台輪可動枠２８を上昇限まで上昇させる。この状態で移動用自在車輪４５を利用して家具２５を移動させ、所定の位置に家具２５を位置させたならば、再び各支持装置３０Ａ〜３０Ｆにより台輪可動枠２８を台輪固定枠２７に対して相対的に降下させ、台輪可動枠２８が着床した後は、この台輪可動枠２８に対して家具２５を上昇させ、移動用自在車輪４５を床面から浮上させることにより、家具２５を台輪可動枠２８により安定的に着床設置させることができる。
【図面の簡単な説明】
【００２１】
【図１】支持装置を示す縦断側面図である。
【図２】支持装置を示す縦断正面図である。
【図３】支持装置を示す平面図である。
【図４】支持装置を取り付けた家具の台輪部分を示す平面図である。
【図５】同家具の台輪部分を示す縦断正面図であって、左半分は台輪で家具が支持されている状態を示し、右半分は移動用自在車輪で家具が支持されている状態を示す。
【図６】図４の縦断左側面図である。
【図７】操作手段を示す要部の縦断面図である。
【符号の説明】
【００２２】
１    上側取付部材
２    水平螺軸
３    雌ネジ体
４    下側取付部材
５    リンク機構
７ａ，７ｂ    軸受け部材
１１    螺軸部
１２    角孔（六角孔）
１９    第一リンク
２０    第二リンク
２５    家具
２６    家具本体底板
２７    台輪固定枠
２８    台輪可動枠
２９    台輪
３０Ａ〜３０Ｆ    支持装置
３１，３２    角軸（六角軸）
３３    回転操作手段
３５    中継軸
３８    操作軸
３９    回転操作レバー
４５    移動用自在車輪
【図１】
2006239258.tif 000003
【図２】
2006239258.tif 000004
【図３】
2006239258.tif 000005
【図４】
2006239258.tif 000006
【図５】
2006239258.tif 000007
【図６】
2006239258.tif 000008
【図７】
2006239258.tif 000009